(57)【要約】【課題】  宝石類に照射される光を反射させて、宝石類の像を綺麗にかつ極めて大きく表出することにより、小さい宝石類であっても、大きい宝石が配設されているように視認できる様にし、装飾的効果を高めることができるばかりでなく、より大きい宝石類から生ずる装飾的効果を小さい宝石類で生じさせる事を課題とする。【解決手段】  前記課題は、宝石類を支持する支持台の基部に支持部材と反射舌片部とを有し、宝石類は支持部材により反射舌片部と間隔を有して支持すると共に反射舌片部方向の宝石類の面又は部分には照射された透過光及び反射光を遮るものがないものであって、該反射舌片部が基部の他端方向に向かって徐々に宝石類の配設高さ方向に向かって湾曲形成して該端部では該宝石類の配設高さよりも高い位置にまで延在形成することにより該宝石類の透過光及び反射光により反射舌片部に該宝石類の像を表出することによって解決できる。【選択図】    図１
2006026300.tif 000002
【特許請求の範囲】
【請求項１】
宝石類を支持する支持台１の基部１０に宝石類を支持する支持部材３と、
該支持台１の基部１０に連接した反射舌片部４とを有し、
該支持部材３により支持する宝石類２は反射舌片部４と間隔を有して支持するものであり、
該支持部材３は、該反射舌片部４方向の宝石類２の面又は部分には該宝石類２へ照射された透過光及び反射光を遮るものがない支持部材３であって、
該反射舌片部４は、基部１０の他端方向に向かって徐々に宝石類２の配設高さ方向に向かって湾曲形成すると共に該反射舌片部端部４１においては該宝石類２の配設高さよりも高い位置にまで延在形成した反射舌片部４よりなり、
該宝石類２の透過光及び反射光により反射舌片部４に該宝石類２の像Ｉを表出することを特徴とする宝石類の支持台。
【請求項２】
該支持部材３は、支持台基部１０に連接した支持枝部３１と、宝石類２を支持する支持爪部３２とからなり、少なくとも反射舌片部４方向の宝石類２の面及び部分には支持爪部３２を有さず、基部１０方向の宝石類２の面及び／又は部分を支持爪部３２で支持することを特徴とする請求項１記載の宝石類の支持台。
【請求項３】
該支持部材３は、宝石類２のキューレット２ａ方向に孔２０を有し、該孔２０に嵌着する支持杆３３によって基部１０に連接したことを特徴とする請求項１記載の宝石類の支持台。
【発明の詳細な説明】
【技術分野】
【０００１】
本発明は、宝石類の支持台に関し、宝石の有する輝き即ち宝石類に照射された光が宝石類の内部を屈折して透過する透過光及び反射光を反射する反射舌片部を有し、該宝石類の光をより広い面積で反射することにより、宝石の輝きを宝石以上の大きさで視認可能とする宝石の支持台に関する。
【背景技術】
【０００２】
従来より、宝石の輝きをより綺麗に豪華に視認可能とするための宝石類の支持台は多用されている。
即ち、宝石類は、宝石類に照射された光がクラウン部で反射して綺麗に視認できると共に、宝石類に照射された光が宝石類内部を屈折透過してパピリオン部の面で反射して更に宝石類の内部を透過してクラウン部から射出した光によっても宝石類を綺麗に視認させるものとなる。
従って、通常は、これらの光によって宝石類を綺麗に視認可能とするものであるが、これだけに止まらず、宝石類に照射された光の内パピリオン部で反射されずにこの面を透過した光やクラウン部で宝石類の後方方向に反射した光等を視認方向に反射するための反射部分を有する宝石類の支持台も存在する。
例えば、米国特許第１９４１７８２号（特許文献１）に明示の宝石類の支持台が存在するが、係る特許文献１に明示された発明は、中央部に孔を有する反射型基部を有し、孔内に宝石類のキューレットを挿入した状態で保持すると共に４か所の突起した爪で該宝石を支持しているものである。
【０００３】
この場合、反射型基部は宝石類の幅方向の長さよりやや長いものであり、又該反射型基部はその孔の部分を最下部として外端部を最上部とし外端部で開いた形状の反射型基部であって、その外端部の高さは配設した宝石類のパピリオン部の略半分程度の高さの位置に達しているものである。
更に該反射型基部表面は凹凸面を以て構成されているものである。
従って、配設した宝石類のパピリオン部の一部から屈折して透過した光の一部を反射型基部の凹凸面で多数方向に反射することにより宝石の装飾的価値を高めるものである。
次に、米国特許第２１９９３３３号（特許文献２）に明示の宝石類の支持台も存在する。
係る本発明は、五弁の花状の反射板の中心部分に球形の宝石類を接する状態で軸着した宝石類の支持台である。
この場合、五弁の花状の反射板は、それぞれ弧状となっており、五弁それぞれの花弁形状の反射板が連設して形成され、更には該それぞれの花弁形状の反射板は、球形の宝石類の中心軸部分程度の高さまで突出形成されているものである。
【０００４】
本特許文献２の図３には球形の宝石類の中心軸部分よりも反射板方向において宝石類を透過した照射光を弧状形状の花弁形状の該反射板により前方方向に反射する構成を明示しているものである。
更に特表平１０−５０１４４１号（特許文献３）に明示の宝石類の支持台も存在する。
係る発明は、略球状の半分の凹部の底部に接する様に宝石類を配設して、該宝石に照射され、クラウン部の表面で反射した光を該略球状の半分の凹部の反射面で前方方向に反射することにより装飾的価値を高める宝石類の支持台である。
【特許文献１】米国特許第１９４１７８２号
【特許文献２】米国特許第２１９９３３３号
【特許文献３】特表平１０−５０１４４１号
【発明の開示】
【発明が解決しようとする課題】
【０００５】
この場合、まず米国特許第１９４１７８２号（特許文献１）に明示の宝石類の支持台に関しては、中央部の光に宝石類のキューレットを挿入して装着するものであり、宝石類と反射型基部間の間は極めて短いものであり、宝石類を透過した光の多くは反射型基部により宝石方向に反射することとなり、宝石類自体の装飾的効果を高めるものであり、更に該反射型基部自体も宝石類のパピリオン部の略半分程度の高さであると共に、反射型基部が凹凸形状よりなることから宝石自体の輝くに変化をもたらすことにより装飾的効果を高めるものとして用いられるものである。
従って、該支持台に装着された宝石類に関しては宝石自体の輝きに変化を生ぜしめることはできるが、例えば小さい小粒の宝石類を配設した場合にはどうしても小粒の宝石類として視認されるべきものであり、極めて大きい大粒の宝石類の輝きを生ぜしめることはできないものである。
【０００６】
次に米国特許第２１９９３３３号（特許文献２）に明示の宝石類の支持台に関しても同様に宝石類は五弁の花状の反射板の中心部分に接する状態で軸着するものであり、宝石類を透過した光は宝石類の大きさに応じた範囲でしか花状の反射板に反射せずに、その多くの反射板による反射光は宝石類方向即ち前方方向に反射することとなり、宝石類自体の輝きに変化を生じさせることはできるが、特に小さい小粒の宝石類を装着した場合には、やはり小粒の宝石類として視認されるものである。
特に本文献明示の支持台への宝石類の装着状態は球形の宝石類の中心軸部分程度の高さまで突出形成をしたものであり、宝石類自体の反射光による輝きの変化を生じさせて装飾的価値を高めるためのものであって、そもそも装着した宝石類をより大きく大粒の宝石類として認識させるような構造ではないものである。
更に、特表平１０−５０１４４１号（特許文献３）に明示の宝石類の支持台に関しても略球状の半分の凹部の底部に接する様に宝石類を配設するものであり、該宝石類を透過した光はその宝石類方向に反射するものでしかなく、この透過光によっては宝石類を大きく見せる事はできない。
【０００７】
又、例えばダイヤモンドのように透過光をパピリオン部のカット面によって反射させるものにあっては同様に該ダイヤモンドの透過光を略球状の半分の凹部によって拡大しすることはできないものである。
但し、宝石類の外表面によって透過せずに反射した光即ち照射された光のうちの一部は略球状の半分の凹部に反射して宝石類の位置よりも広い範囲で反射可能であるが、少なくとも該文献３の図５に示すように宝石類の設置高さ以上の位置には反射せずに、宝石類の大きさより若干大きい反射像を生ずるにしかすぎず、更には宝石類の外表面によって透過せずに反射したほんの一部の反射光によってもたらされる像であることから、その像も虚偽の像と認識し得る程度の像でしかない。
従って、この様に構成した場合にも、視認した宝石類の大きさは該装着した宝石類よりもやや大きい程度であり、更にはその像自体も宝石類自体の輝きとは異なり反射像として判明する程度の像であって、装着した宝石類の装飾的効果を高めることはできるが、あたかもより大きな高級な宝石類が設置しているように視認することはできないものである。
【０００８】
従って、宝石類自体の装飾的効果を高める反射板を用いた種々の支持台は存在するが、いずれも宝石自体の輝きの変化を中心に構成されているものであり、宝石類の大きさに応じた輝きを視認させるものであり、例えば小粒の宝石類を大粒の宝石類に視認可能な支持台はなく、何等かの方法で小粒の宝石類でも基本的に装飾的効果の高い大粒の宝石類の生ずる輝きに基づく装飾的効果を発揮させる支持台が望まれていた。
特に、大粒の宝石は極めて多大なる装飾的効果を有しているばかりでなく、極めて高価であることが周知であり、小さい小粒の宝石類に対して大粒になればなるほど極めて装飾的効果が高くなるばかりでなく飛躍的に高価となるものであって、小粒の宝石類で大粒の宝石類と同等或いはこれに近い視覚性を出すことは宝石類の本質的な解決課題であり従来より求められてきているものである。
【課題を解決するための手段】
【０００９】
本発明は、係る本質的な課題を解決し、小粒の宝石類であってもその透過光及び反射光を用いて極めて大粒の宝石類と同様な視認性を提供する宝石類の支持台の提供を課題とするものであって、係るため請求項１記載の発明は、宝石類を支持する支持台の基部に宝石類を支持する支持部材と、該支持台の基部に連接した反射舌片部とを有し、該支持部材により支持する宝石類は反射舌片部と間隔を有して支持するものであり、該支持部材は、該反射舌片部方向の宝石類の面又は部分には該宝石類へ照射された透過光及び反射光を遮るものがない支持部材であって、該反射舌片部は、基部の他端方向に向かって徐々に宝石類の配設高さ方向に向かって湾曲形成すると共に該反射舌片部端部においては該宝石類の配設高さよりも高い位置にまで延在形成した反射舌片部よりなり、該宝石類の透過光及び反射光により反射舌片部に該宝石類の像を表出する宝石類の支持台からなり、本発明によって前記課題を解決できる。
或いは、請求項２に係る発明のように、該支持部材は、支持台基部に連接した支持枝部と、宝石類を支持する支持爪部とからなり、少なくとも反射舌片部方向の宝石類の面及び部分には支持爪部を有さず、基部方向の宝石類の面及び／又は部分を支持爪部で支持する宝石類の支持台を用いてもよい。
又、請求項３に係る発明の様に該支持部材は、宝石類のキューレット方向に孔を有し、該孔に嵌着する支持杆によって基部に連接した宝石類の支持台であってもよい。
【発明の効果】
【００１０】
以上の様に構成することにより、まず、宝石類に照射された光の内、宝石類を透過する光と反射した光が反射舌片部に照射されることとなり、この照射された光は更にこの反射舌片部によっても反射され、該反射舌片部により大きな該宝石類の像が表出されることから、小さい宝石類を用いても、反射舌片部に表出された宝石類の像は極めて大きいものであり、大きい宝石が配設されているように視認できることから、装飾的効果を高めることができるばかりでなく、全く異なる大きさのより大きい宝石類から生ずる装飾的効果を小さい宝石類で生じさせる事ができるという効果を有する。
特に、宝石類は反射舌片部から離した状態で配設されており、宝石類を透過する光と反射した光を広い範囲で写し出す事ができると共に反射舌片部によって更に湾曲形成した該反射舌片部の他の部分に反射させることができ、極めて大きな該宝石類の像を反射舌片部を写し出すことができるものであり、その装飾的効果は極めて高いものである。
【００１１】
更に反射舌片部も、該反射舌片部端部においては該宝石類の配設高さよりも高い位置にまで延在形成するものであり、宝石類に照射された光のうちの宝石類のパビリオン部やクラウン部での反射光をも効率的に反射でき、反射舌片部に表出される像は綺麗でかつ鮮明な像として表出できるものである。
従って、安価な小さい宝石類で、極めて高価な大きい宝石類の如き装飾的効果を生じさせることができることとなる。
【発明を実施するための最良の形態】
【００１２】
本発明の実施の形態を説明するに図１は、本発明に係る宝石類の支持台を用いた指輪の一例を示す図である。
指輪Ａの指嵌着部には宝石類２の支持台１が複数配設されており、更に支持台１には宝石類２が配設されている。
該支持台１には宝石類２を支持する支持爪部３２に連接した支持枝部３１を有しており、この支持枝部３１が支持台１の基部１０に連設している。
該支持枝部３１は宝石類２を支持台１から離した位置で配置するための任意の長さを有しており、少なくとも支持台１から宝石類２は離れた位置に定置されている。
更に、この支持爪部３２は支持枝部３１の連接部分から二股に分かれて宝石類２の外周縁の一部を覆うように囲んで宝石類２を支持しており、特にこの支持爪部３２は該宝石類２の外周縁の約三分の一程度を残して支持枝部３１の連接部分の両方向に向かってそれぞれ約三分の一程度ずつ設けられている。
【００１３】
従って該宝石類２の外周縁の支持枝部３１の連接部分の対向方向においては支持爪部３２を有しておらず該宝石類が何等の遮りなく配設しているものである。  この様な該宝石類２の支持爪部３２を有しておらず該宝石類２を何等の遮りもない方向には支持台１から延在している反射舌片部４を有している。
この反射舌片部４は、支持台１基部１０方向から突出形成されているが、基部１０の他端方向に向かって弧状に湾曲形成しており、基部１０から遠ざかるに連れて徐々に宝石類２の配設高さ方向に向かって弧状に湾曲突出しており、少なくとも反射舌片部４の基部１０の他端方向の端部４１においては該宝石類２の配設高さよりも高い位置にまで延在形成されているものである。
この様に構成することによって、該宝石類２を透過した光は広い範囲で反射舌片部４によって反射し、更には該宝石類２のクラウン部やパピリオン部の表面に照射された光のうちの反射した光をも反射舌片部４によって反射し、極めて多くの光を反射舌片部４で反射することを可能として、反射舌片部４に大きい該宝石類の像Ｉを表出させることを可能とする。
【００１４】
特に宝石類２を支持する支持爪部３２が、該宝石類２の反射舌片部４方向にはないことから、反射舌片部４方向に透過する透過光や反射光を遮らず全て照射でき、極めて鮮明なる拡大された像Ｉを表出できると共に、支持台基部１０から所定の離れた位置に該宝石類２を定置させていることから、宝石類２の屈折透過した光を広い範囲で掴まえる事ができ、より大きな像Ｉを表出できる。
以上の様に構成したことから、該反射舌片部４に該宝石類２の巨大な反射像Ｉを表出でき、配設すべき宝石類２が小粒のものであっても、外部から視認した宝石類は該部分のみならず反射舌片部４全体に表出された像Ｉ全体を宝石類として視認できることから、極めて大粒の宝石類が配設されているように視認できる。  従って、小さい宝石類２を大粒の大きな宝石類として視認することを可能とする。
次に本図においては前記の支持台１の形状の他、中央部に拡大視を行わない宝石類２１を配して、その四方方向に反射像Ｉを形成すべき宝石類２を配設した他の支持台１の実施の状態をも示している。
【００１５】
即ち該支持台１の基部１０には四方方向の四箇所にそれぞれ宝石類２を配設しており、各宝石類２は基部１０方向から連設している支持枝部３１を介した支持爪部３２によって支持されている。
この場合支持枝部３１の各宝石類２の基部１０方向には該宝石類２を支持するための支持爪部３１を有しているが、四方方向即ち基部１０と対向方向には支持爪部３２を有しておらず遮りがない。
又、支持台基部１０から四方に向かってそれぞれ反射舌片部４を有しているものである。
従って、この様に構成することにより四方方向に配設した宝石類２に照射された光を該反射舌片部４に反射されて大きい像Ｉをそれぞれ表出させることができる。
以上の様に、小さい宝石類２を用いたものであっても、外部から該宝石類を視認した場合には、反射舌片部４の反射によって写し出される像Ｉ全体を該宝石類として視認することとなり、大きい宝石類が装着されている様に視認することができ、該指輪の装飾的効果を高めるばかりでなく、あたかも極めて高価なかつ豪華な指輪であるとの視覚的効果を発揮することができる。
【００１６】
尚、反射舌片部４に関しては支持台基部１０方向から突出形成され、基部１０の他端方向に向かって弧状に湾曲形成しているが、このアール角度は任意であり、一の弧状のみならず段付き弧状であっても或いは徐々に或いは任意にアール角度を変化させたものであってもよい。
もとより一部に直線形状を有しているものであってもよい。
又、基部１０から遠ざかるに連れて徐々に宝石類２の配設高さ方向に向かって湾曲しているが、単に高さ方向のみならず基部１０から遠ざかる方向にも延在しているものであってももちろんよい。
更に反射舌片部４の基部１０の他端方向の端部４１においては該宝石類２の配設高さよりも高い位置にまで延在形成されているが、この配設高さは任意の高さを以ておればよいものである。
更にこの反射舌片部４の反射面の幅方向は、弧状形状を持っているものでも或いは平面状のものでもよく、更には複数の任意のアール角度を有する弧状面を有するものであってもよい。
【００１７】
少なくとも反射舌片部４の反射面により宝石類を透過した光又は反射光を効率的に反射でき、視認方向からの視認に際して反射面４に写った宝石類の像Ｉが拡大して視認可能なものであればよい。
尚、本発明における宝石類とは、天然の宝石類のみならず人工の宝石類も含むものであり、基本的には宝石類の内部に照射した光が透過可能な宝石類を意味し、エメラルドやサファイヤ、水晶、翡翠、ルビー、黄玉石等の各種の宝石類を意味するものであり、パピリオン部分の面で透過光の多くを反射するダイヤモンドに用いるものであってもよい。
図２は、図１に示す本発明に係る宝石の支持台を用いた指輪Ａの一例の斜視図である。
この様に支持台１自体も極めて装飾的であり、これだけでも装飾的価値は高いものであるが、更に各反射舌片部４に写し出される該宝石類２が何倍もの大きさで写し出され、極めて高い装飾的効果を発揮することとなる。
【００１８】
尚、反射舌片部４は、少なくとも該宝石類２のクラウン部の二倍以上の表面積を有しているものが必要であり、本図に示す構成はほぼ１０倍以上の広さの表面積を有する反射舌片部４を用いている。
この反射舌片部４の反射面の表面積は前述の様に任意の広さを有しておればよいものであり、何倍である等の制約はないが、少なくとも小さい宝石類２を大きい宝石類の如き像を表出させるものであることから前記の通り、少なくとも約２倍程度は必要であり、更には有効な像が表出可能であればそれに応じたより広い表面積を有する反射舌片部４を用いたものであってもよい。
例えば像Ｉが綺麗にかつ鮮明に表出可能な湾曲等を有しているものであれば何十倍の或いは百倍以上の表面積を有するものであってもよい。
図３は、一の支持台１の拡大側面図であり、支持台１の基部１０にはこれから延在して反射舌片部４を有している。
【００１９】
更にこの支持台基部１０から支持枝部３１が突出形成されており、この支持枝部３１に連接した支持爪部３２により宝石類２を支持しているものである。
更に宝石類２は、このキューレット部２ａが支持台１の基部１０から若干離れた位置で支持されるものである。
従って宝石類２を透過した光は宝石類２の面で屈曲して宝石類２の底部に位置する支持台基部１０及び反射舌片部４に広く拡散照射され、更にこの光は反射舌片部４方向にも更に反射することにより支持台基部１０及び反射舌片部４全面に亘り広く像Ｉを表出させることとなる。
尚、宝石類２と支持台基部１０及び反射舌片部４との間の間隔は任意であり、少なくとも、両者が接することなく若干離れた位置に配設定置させるものであればよい。
更に宝石類２と支持爪部３２との関係においては、少なくとも反射舌片部４方向の宝石類２の外周面には支持爪部３２を有していないことが必要である。
即ち、小さい宝石類２にあってはどうしても支持爪部３２が反射光や透過光を遮るものとなってしまい、反射舌片部４に照射されるべき宝石類２の像を表出する光を遮ることにより像Ｉが生じにくくなってしまう。
【００２０】
従って、宝石類２の反射舌片部４方向には少なくとも支持爪部３２がない形状の支持爪部３２を用いることが必要である。
本図に示す構成は反射舌片部４方向の宝石類２の外周縁上の三分の一程度には支持爪部３２がなく、支持枝部３１から連接している各支持爪部３１の枝部はそれぞれ宝石類の外周縁上の三分の一程度を覆い、これによって宝石類２を支持しているものである。
なお、本図においては、反射舌片部４方向の宝石類２の外周縁上の三分の一程度を解放状態としているが、これに限らず略二分の一程度乃至十分の一程度の解放とするものであってもよい。
この解放範囲が広くなるほどより綺麗な像Ｉが表出されるものである。
元より、本説明は本図に示す爪形状の支持部材３によって支持された場合の例であり、この支持形態に限定されるものではなく、他の形状や構造の支持部材３によって支持された場合においては、少なくとも反射舌片部４方向の宝石類の部分及び／又は面が解放されており、反射光や透過光を遮るものがないものであればよい。
【００２１】
図４は、反射舌片部４の湾曲の程度及び反射舌片部４の端部４１がより該宝石類２の配設高さよりも高い位置にまで延在形成した他の例を示す図である。
この様に構成することにより、反射光がより広い範囲で反射して大きい像Ｉを表出することを可能とする。
なお、反射舌片部４の湾曲の程度や長さ或いは大きさ、更にはその形状等は任意に定めるものであればよく、種々の形態に応じてそれぞれいろいろな種類或いは大きさの像Ｉを反射光により表出できるものである。
図５は、宝石類２の支持に関して他の形態の支持部材３を用いた例を示す図である。
例えば宝石類２のキューレット部２ａに孔２０を有し、この孔２０に支持杆３３を嵌入して、この支持杆３３によって支持台１の基部１０に連接し、宝石類２を定置支持する本発明に係る他の実施の状態を示す図である。
この様に構成することによって少なくとも反射舌片部５方向の宝石類２の部分及び／又は面が解放されており、反射光や透過光を遮るものがない状態を作り出せるものである。
【００２２】
図６は、本発明に係る宝石類の支持台を用いたネックレスＢの一例を示す図である。
本図に示すように該支持台１の宝石類２は反射舌片部４に宝石類２を透過した光及び反射した光を反射させて、この反射舌片部４に宝石類２の像Ｉを表出させることとなる。
従って、小さい宝石類２を用いた場合であっても反射舌片部４に大きい像Ｉを表出させることから大きい宝石類が装着されているように視認でき、装飾的価値を極めて高くするばかりでなく、安価な宝飾品等であっても、極めて高価な或いは豪華な宝飾品等と同様な装飾を付与することができ、その装飾的価値を極めて高くすることができる。
以上の様に本発明に係る宝石類の支持台を用いることによって、極めて装飾的価値を高める事ができると共に、指輪やネックレスに限らず種々の宝飾品等のみならず各種商品にも用いることができるという汎用性をも有している。
【図面の簡単な説明】
【００２３】
【図１】本発明に係る宝石類の支持台を用いた指輪の一例を示す図
【図２】図１に示す指輪の斜視図
【図３】支持台１の拡大側面図
【図４】支持台１の他の例の拡大側面図
【図５】支持台１の他の例の拡大側面図
【図６】本発明に係る宝石類の支持台を用いたネックレスの一例を示す図
【符号の説明】
【００２４】
１        支持台
１０      基部
２        宝石類
２ａ      キューレット部
２０      孔
３        支持部材
３１      支持枝部
３２      支持爪部
３３      支持杆
４        反射舌片部
４１      反射舌片部端部
Ａ        指輪
Ｂ        ネックレス
Ｉ        像
【図１】
2006026300.tif 000003
【図２】
2006026300.tif 000004
【図３】
2006026300.tif 000005
【図４】
2006026300.tif 000006
【図５】
2006026300.tif 000007
【図６】
2006026300.tif 000008